(57)【要約】【課題】  従来と比べ型枠工程を省くことができトータルコストを軽減できると共に、作業性が極めて良く、Ｕ字形排水溝ブロック周辺の雑草の繁茂を防止して雑草の下払い作業を軽減できる排水溝及びその施工方法を提供することを課題とする。【解決手段】  Ｕ字形排水溝ブロック本体の上端部側壁に勘合部を介して防草用プレートを一体的に接合するようにした排水溝であり、床掘を形成する工程と、床掘内にＵ字形排水溝ブロック本体を設置する工程と、前記床掘とＵ字形排水溝ブロック本体側面との隙間に土砂を埋め戻して転圧する工程と、Ｕ字形排水溝ブロック本体の上端部側壁に勘合部を介して一定幅の防草用プレートを一体的に接合する工程とからなる。【選択図】  図２
2007077782.tif 000002
【特許請求の範囲】
【請求項１】
Ｕ字形排水溝ブロック本体の上端部側壁に勘合部を介して防草用プレートを一体的に接合したことを特徴とする排水溝。
【請求項２】
床掘を形成する工程と、床掘内にＵ字形排水溝ブロック本体を設置する工程と、前記床掘とＵ字形排水溝ブロック本体側面との隙間に土砂を埋め戻して転圧する工程と、Ｕ字形排水溝ブロック本体の上端部側壁に勘合部を介して一定幅の防草用プレートを一体的に接合する工程とからなる排水溝の施工方法。
【発明の詳細な説明】
【発明の詳細な説明】
【技術分野】
【０００１】  本発明は、例えば法面の上方斜面と下方斜面との間の水平面に設置する排水溝及びその施工方法に関するものである。
【背景技術】
【０００２】  従来、例えば図５に示すように、Ｕ字形排水溝ブロック本体２１の上方長手方向内面に木材等の板２２、２２を梁２３を介して固定し、その両側外方の一定幅にコンクリートやアスファルト２４、２５を打設するようにしている。【０００３】  しかしながら、この施工方法によると木材等の板２２、２２と梁２３などの型枠を必要とするためトータルコストが高くなり、また板２２、２２と梁２３の型枠の設置や取り外し等手間を要するため作業性が悪い。【０００４】  また、特開２００４−３３９７２０号公報には、高速道路などの道路側部の法面に設けたＵ字状の排水溝ブロックを据えつけて排水路とし、排水溝ブロック両側の周辺部地面の一定幅を不陸調整し、排水溝ブロックの側壁の上面の内側端から排水溝ブロックの周辺部の不陸調整した一定幅の地面を防水シートとして塩化ビニールで被覆した防草及び洗掘防止用のシール方法が記載されている。【０００５】  しかしながら、この発明においては、塩化ビニールシートであるため風でとばされたり、破れたりする欠点がある。また、いちいち塩化ビニールシートをアンカーピンでとめるため作業性が悪い。
【発明が解決しようとする課題】
【０００６】  本発明は上記欠点を解消するものであり、従来と比べ型枠設置作業等を省くことができ、トータルコストを軽減できると共に作業性が極めて良く、Ｕ字形排水溝ブロック周辺の雑草の繁茂を防止して雑草の下払い作業を軽減できる排水溝及びその施工方法を提供するものである。
【課題を解決する手段】
【０００７】  請求項１の発明は、Ｕ字形排水溝ブロック本体の上端部側壁に勘合部を介して防草用プレートを一体的に接合したことを特徴とする排水溝を提供するものである。
【０００８】  また、請求項２の発明は、床掘を形成する工程と、床掘内にＵ字形排水溝ブロック本体を設置する工程と、前記床掘とＵ字形排水溝ブロック本体側面との隙間に土砂を埋め戻して転圧する工程と、Ｕ字形排水溝ブロック本体の上端部側壁に勘合部を介して一定幅の防草用プレートを一体的に接合する工程とからなる排水溝の施工方法を提供するものである。
【０００９】  これらの発明においては、Ｕ字形排水溝ブロック本体の上端部側壁に防草用プレートを単に接合するだけの作業で済み、また上記従来例と比べ型枠設置作業を省くことができ、トータルコストを軽減できると共に作業性が極めて良く、さらにＵ字形排水溝ブロック周辺の雑草の繁茂を防止して雑草の下払い作業を軽減できる排水溝及びその施工方法を提供することができる。
【発明を実施するための最良の形態】
【００１０】  以下に本発明の一実施形態を図面に基づき説明する。図１に示す如く、Ｕ字形排水溝ブロック本体１を法面の上方斜面２と下方斜面３との間の水平面に設置し、Ｕ字形排水溝ブロック本体１の上端部側壁に一定幅の防草用プレート４、５を一体的に打設するようにしている。【００１１】  即ち、図２及び図３に示す如く、前記Ｕ字形排水溝ブロック本体１の上端部側壁に勘合部６，６を介して防草用プレート４、５を一体的に打設する。【００１２】  図３に示す如く、これら勘合部６，６はＬ字型蹴込部７，７と防草用プレート４、５側に設けた凸部８をＵ字形排水溝ブロック本体１に設けた凹部９，９に勘合するように一体的に打設する。尚、防草用プレート４、５側に凹部を、Ｕ字形排水溝ブロック本体１側に凸部を設けても良い。【００１３】  前記Ｕ字形排水溝ブロック本体１の上方両端部に勘合部６，６を介して防草用プレート４、５を一体的に打設すると、上記勘合部６、６により排水溝ブロック本体１側面と防草用プレート４、５との間のずれにより隙間を生じさせることなく、したがってその隙間に土砂が侵入して草の根が張るのを防止できる。また、勘合部６，６は蹴込部７，７と凹凸部８，９で噛合っているので、打設する接合面積を広くすることにより接合強度を向上させることができる。【００１４】  次に、排水溝の施工方法について図４の作業図１〜５に基づき説明する。先ず、作業図１、２において、法面の上方斜面２と下方斜面３との間の水平面に床掘１０を形成した後、床掘１０内にＵ字形排水溝ブロック本体１を設置する。次に、作業図３において、前記床掘１０とＵ字形排水溝ブロック本体１側面との隙間に土砂１１を埋め戻して転圧する。そして、作業図４において、Ｕ字形排水溝ブロック本体１の上方両端部に勘合部６，６を介して接合するように一定幅の防草用プレート４，５を一体的に打設する。さらに、作業図５において、防草用プレート５の外方端と法面の上方斜面２との間に土砂１２を転圧する。【００１５】  尚、上記実施形態では、防草用プレート４，５をＵ字形排水溝ブロック本体１の上端部側壁に勘合部６，６を介して打設するようにしているが、防草用プレート４，５を予め作成しておいて、それをＵ字形排水溝ブロック本体１の上端部側壁の勘合部６，６にモルタル充填等により接合してもよい。上記実施形態では、法面の上方斜面２と下方斜面３との間の水平面に設置した例を示したが、これに限らず、例えば田んぼの畔や通常の道路脇の溝等広い用途に応用できる。
【発明の効果】
【００１６】  上記の如く本発明においては、従来と比べ型枠工程等が省けるので、トータルコストが軽減できると共に作業性が極めて良い。また、前記Ｕ字形排水溝ブロック本体の上端部側壁に勘合部を介して防草用プレートを一体的に接合しているので、Ｕ字形排水溝ブロック本体の上端部側壁と防草用プレートとの間に隙間を生じさせることなく、Ｕ字形排水溝ブロック周辺の雑草の繁茂を防止できて雑草の下払い作業を軽減できる効果がある。さらに、切欠部と勘合部は凹凸で噛合っているので、接合面積が広く接合強度を向上させることができる。
【図面の簡単な説明】
【００１７】
【図１】本発明を法面の上方斜面２と下方斜面３との間の水平面に設置した例を示す斜視図。
【図２】排水溝の側面図。
【図３】勘合部の拡大図。
【図４】施工方法を示す作業図。
【図５】従来の施工方法を示す説明図。
【符号の説明】
１          Ｕ字形排水溝ブロック本体
２          法面の上方斜面
３          法面の下方斜面
４、５      防草用プレート
６、６      勘合部
７，７      蹴込部
８，８      凸部
９，９      凹部
【図１】
2007077782.tif 000003
【図２】
2007077782.tif 000004
【図３】
2007077782.tif 000005
【図５】
2007077782.tif 000006
【図４】
2007077782.tif 000007